(57)【要約】【課題】簡単な構造で実際の魚釣りの雰囲気を味わうことができるとともに、電池の消耗などを気にすることなくリアル感のある魚釣りを楽しむことができる魚釣りゲーム玩具を提供すること。【解決手段】釣竿２で魚体１を釣り上げる魚釣りゲーム玩具において、上記魚体１を凸面状に湾曲形成された板部材で構成するとともに略中央に口を模して円形の開口部３を形成し、上記釣竿２は竿部６の先端に螺旋溝９が形成された軸体７を吊り下げる懸垂部８を配置し、この懸垂部８には上記軸体７を公転させる駆動機構Ｄを設け、この駆動機構Ｄを中心からやや外れた位置に貫通孔２５が形成されハンドル１０の操作で回転する駆動歯車１７と、軸体７の回転を阻止する回転阻止部３５とで構成し、上記軸体７の上部を上記貫通孔２５を貫通させるとともに、軸体７の上端を上記回転阻止部３５に連係させた。【選択図】図１
2007061291.tif 000002
【特許請求の範囲】
【請求項１】
釣竿で魚体を釣り上げる、以下の要件を備えることを特徴とする魚釣りゲーム玩具。
（イ）上記魚体を凸面状に湾曲形成された板部材で構成し、略中央に口を模して円形の開口部を形成したこと
（ロ）上記釣竿は竿部の先端に釣り糸を模した軸体を吊り下げる懸垂部を配置し、該懸垂部には上記軸体を公転させる駆動機構を設け、該駆動機構は握り部に設けたハンドルの回転操作で動作するようにしたこと
（ハ）上記駆動機構は、中心からやや外れた位置に貫通孔が形成された駆動歯車と、軸体の回転を阻止する回転阻止部とで構成されていること
（ニ）上記軸体の上部は上記貫通孔を貫通し、軸体の上端は上記回転阻止部に連係していること
（ホ）上記軸体の周面には螺旋溝が形成されていること
【発明の詳細な説明】
【技術分野】
【０００１】
本発明は、魚釣りゲーム玩具、詳しくはリールを巻き上げる操作をして魚体を釣り上げる魚釣りゲーム玩具に関するものである。
【背景技術】
【０００２】
従来、魚釣りをして遊ぶ玩具としては様々なものが提案されているが、一般的には口を開閉する魚が口を開けたタイミングに釣り針を模したフックを口の中に落とし込み、口が閉じたことによりフックが魚に引っかかるようにしたものがある（例えば、特許文献１）。
【０００３】
この玩具は、竿の先端に魚体の重量で作動するスイッチを設け、竿を把握する内部には電池を収納した把手部と、釣り針と、先端のスイッチに接続した釣り糸と、通電すると振える振動モータを内部に収納した振動部とで構成したもので、玩具の魚体の口が開くところを目掛けて釣り針を引っかけると竿の先端のスイッチが作動して振動部が作動し竿が振るえて魚を釣り上げた手応えを感じることができるようにしたものである。
【特許文献１】実用新案登録第３０５８７９２号公報
【発明の開示】
【発明が解決しようとする課題】
【０００４】
本発明が解決しようとする問題点は、上述の玩具では魚を釣り上げた実感を味わうことができるように、釣り上げ時に釣竿が振動するが、魚を釣り上げるためのテクニックは特に必要のないもので、釣り遊びは楽しめるがテクニックを要求されるものではなく遊びに飽きてしまう点であった。また、魚には口を開閉させる機構を設け、釣竿にはセンサや振動部を設ける必要があり、電気的な機構を必要とし玩具の製造コストが上昇するのに加え、電池が切れると遊ぶことができない点であった。
【０００５】
本発明は、上記問題点を解決し、簡単な構造で実際の魚釣りの雰囲気を味わうことができるとともに、電池の消耗などを気にすることなくリアル感のある魚釣りを楽しむことができる魚釣りゲーム玩具を提供することを課題とする。
【課題を解決するための手段】
【０００６】
前記課題を解決するために本発明に係る魚釣りゲーム玩具は、釣竿で魚体を釣り上げる、以下の要件を備えることを特徴とする。
（イ）上記魚体を凸面状に湾曲形成された板部材で構成し、略中央に口を模して円形の開口部を形成したこと
（ロ）上記釣竿は竿部の先端に釣り糸を模した軸体を吊り下げる懸垂部を配置し、該懸垂部には上記軸体を公転させる駆動機構を設け、該駆動機構は握り部に設けたハンドルの回転操作で動作するようにしたこと
（ハ）上記駆動機構は、中心からやや外れた位置に貫通孔が形成された駆動歯車と、軸体の回転を阻止する回転阻止部とで構成されていること
（ニ）上記軸体の上部は上記貫通孔を貫通し、軸体の上端は上記回転阻止部に連係していること
（ホ）上記軸体の周面には螺旋溝が形成されていること
【発明の効果】
【０００７】
本発明によれば、釣り糸を軸体で構成し、この軸体の周面に螺旋溝を形成するとともに、軸体を先端部が円を描くように公転させ、魚体の口を模した開口部に軸体の先端を係合させて遠心力で魚を釣り上げることができるようにしたので、釣り上げた魚体は軸体上を上昇し、リールを巻き上げて魚を釣り上げる実感が味わえるとともに、電池の消耗などを気にすることなく魚釣りをいつでも楽しむことができる魚釣りゲーム玩具を提供することができる。
【発明を実施するための最良の形態】
【０００８】
図１は、本発明に係る魚釣りゲーム玩具を示し、この魚釣りゲーム玩具は魚体１と、この魚体１を釣り上げる釣竿２とから構成されている。
【０００９】
魚体１は、図２（ａ）、（ｂ）に示すように、凸面状に湾曲形成された樹脂製の板部材で構成され、略中央に円形の開口部３を形成し、魚が上を向いて口を開けた状態を模して形成されているものである。
【００１０】
釣竿２は、握り部５と、竿部６と、釣り糸を模した軸体７と、竿部６の先端に連結され上記釣り糸を模した軸体７を吊り下げる懸垂部８とで構成され、上記軸体７の周面には螺旋溝９が形成されている。
【００１１】
上記懸垂部８には上記軸体７を公転させる駆動機構Ｄが配置されている。この駆動機構Ｄは、握り部５の側面に配置されたクランク状のハンドル１０を回すことにより作動するもので、図３に示すように、ハンドル１０の軸１１にはクラウン歯車１２が固定され、このクラウン歯車１２に噛み合うピニオンギヤ１３の回転軸１４の先端にはクラウン歯車１５が固定され、ハンドル１０を回すとクラウン歯車１５が回転し、駆動機構Ｄを作動させることができるようになっている。
【００１２】
駆動機構Ｄは二段歯車１６と、軸体７を公転させる駆動歯車１７と、軸体７の回転を阻止する回転阻止部とで構成され、二段歯車１６の小歯車１６ａは上記クラウン歯車１５に噛み合い、大歯車１６ｂは駆動歯車１７に噛み合っている。
【００１３】
上記駆動歯車１７は、図４に示すように、平歯車１８と、この平歯車１８を上下から挟持する挟持鈑１９、２０とで構成され、平歯車１８と、挟持鈑１９、２０とはネジで固定され一体の駆動歯車１７を構成している。
【００１４】
上記平歯車１８には貫通孔２５が形成され、この貫通孔２５は平歯車１８の中心から少しずれた位置に形成されている。この貫通孔２５には軸体７の上部７ａが挿通されている。一方、上側の挟持鈑１９の中心には上記貫通孔２５が全て含まれる大きさの開口部２６が形成され、この開口部２６の外側上面には開口部２６と同心円状に環状の軸部２７が形成されている。そして、下側の挟持鈑２０は上記挟持鈑１９を裏返したものと同じで、中央には貫通孔２５が全て含まれる大きさの開口部２８が形成され、この開口部２８の外側下面には開口部２８と同心円状に環状の軸部２９が形成されている。
【００１５】
そして、上記駆動歯車１７は、懸垂部８を構成する下部材３０と上部材３１とで回転可能に保持されている。下部材３０の中央には上記挟持鈑２０の下面に形成された軸部２９を軸支する軸穴３２が形成され、上部材３１の中央には上記挟持鈑１９の上面に形成された軸部２７を軸支する軸受３３が膨出して形成され、軸穴３２と軸受３３とで駆動歯車１７を回転自在に軸支している（図５参照）。
【００１６】
そして、上記軸受３３の上面には回転阻止部である４組のガイド板３５が立設して形成されている。このガイド板３５は軸体７の上端に固定された球体部３６の周面から４方向に互いに直交して突出形成された係合軸３７をガイドするものである。
【００１７】
上記球体部３６は、軸受３３の中央に形成された開口部３８と、軸受３３に嵌め合わされるカバー部材３９の内側上面に形成された環状の係合凸部４０とで回動自在に支持されているが、係合軸３７がガイド板３５でガイドされているので球体部３６は水平方向に回転することはない。
【００１８】
上記駆動歯車１７が回転すると、平歯車１８に形成された貫通孔２５が偏心して回転するので、球体部３６が上部材３１とカバー部材３９とで支持されている軸体７は球体部３６を中心に揺動させられるが、球体部３６に形成された係合軸３７がガイド板３５にガイドされて回転しないようになっているので軸体７自体は回転することなく先端が円を描いて公転するようになっている。
【００１９】
次に、上記構成の魚釣りゲーム玩具の遊戯態様について説明する。
【００２０】
先ず、図６（ａ）に示すように、軸体７の先端を魚体１の口を模して形成された開口部３内に差し込み、ハンドル１０を回転させる。ハンドル１０を回転させるとハンドル１０の軸１１に固定されたクラウン歯車１２、このクラウン歯車１２に噛み合うピニオンギヤ１３が回転し、このピニオンギヤ１３の回転軸１４が回転して、クラウン歯車１５が回転することになり、このクラウン歯車１５に噛み合う二段歯車１６が回転し、駆動歯車１７が回転する。
【００２１】
駆動歯車１７が回転すると、平歯車１８に形成された貫通孔２５が偏心して回転するので、貫通孔２５に挿通させた軸体７は球体部３６を中心に回転しようとするが、球体部３６に形成された係合軸３７がガイド板３５にガイドされて周方向に回転することができないので、軸体７の先端は球体部３６を中心に円を描いて公転することになる。
【００２２】
軸体７が公転すると魚体１は、軸体７を中心に遠心力で振り回されるように回転させられることになるが、軸体７は公転しているだけで自転していないので、図６（ｂ）に示すように、相対的に軸体７は停止し、魚体１は軸体７を中心に回転をしていることになり、魚体１は螺旋溝９に沿って軸体７を上昇していく。
【００２３】
上述したように、釣り糸を模した軸体７は自転せずに公転して、魚体１に回転を与え、回転を与えられた魚体１は軸体７を中心に遠心力で回転し、軸体７に形成された螺旋溝９に沿って軸体７上を上昇するので、あたかもリールを巻き上げて魚を釣り上げるような雰囲気を味わうことができる。
【００２４】
釣り上げた魚体１は、ハンドル１０の回転を止めると軸体７に沿って落下し、図７に示すように、魚籠などを模して形成された容器４１に確実に取り込むことができる。
【図面の簡単な説明】
【００２５】
【図１】本発明に係る魚釣りゲーム玩具の構成を示す斜視図
【図２】（ａ）（ｂ）は魚体の平面図及び縦断面図
【図３】上記釣竿の構成を説明する分解斜視図
【図４】駆動歯車の構成を説明する分解斜視図
【図５】懸垂部の内部構造を説明する要部断面図
【図６】（ａ）（ｂ）は釣竿で魚体を釣り上げる状態の説明図
【図７】釣り上げた魚体を容器に取り込む状態を説明する斜視図
【符号の説明】
【００２６】
１    魚体
２    釣竿
３    開口部
５    握り部
６    竿部
７    軸体
８    懸垂部
９    螺旋溝
１０    ハンドル
１７    駆動歯車
２５    貫通孔
３５    ガイド板（回転阻止部）
Ｄ    駆動機構
【図１】
2007061291.tif 000003
【図２】
2007061291.tif 000004
【図３】
2007061291.tif 000005
【図４】
2007061291.tif 000006
【図５】
2007061291.tif 000007
【図６】
2007061291.tif 000008
【図７】
2007061291.tif 000009